(57)【特許請求の範囲】
【請求項１】
第１の光通信ノードと、光ファイバ伝送路を介して前記第１の光通信ノードに接続された第２の光通信ノードとからなる光ファイバ通信システムにおいて、
前記第１および第２の光通信ノードは、それぞれ、
クライアント装置に接続された入力端子および出力端子と、
前記入力端子から前記光ファイバ伝送路までの送信側に設けられたフレーマ・デフレーマ、プリコーダ、補償制御部および光送信器と、
前記光ファイバ伝送路から前記出力端子までの受信側に設けられた光受信器および前記フレーマ・デフレーマと、を備え、
前記フレーマ・デフレーマは、前記入力端子および前記出力端子に接続されて、入力／出力信号をフレーム化／デフレーム化し、誤り訂正および単位時間当たりのビット誤り数の検出を行い、
前記プリコーダは、前記フレーマ・デフレーマを介した入力信号の光パスの波長分散量および逆関数の畳み込みを行い、
前記光送信器は、前記プリコーダを介した電気信号を電気／光変換して送信し、
前記光受信器は、前記光ファイバ伝送路から受信された光信号を光／電気変換して前記フレーマ・デフレーマに入力し、
前記補償制御部は、前記プリコーダに設定される補償分散値を最適化して決定するために、
前記送信側においては、一定時間間隔で変更される補償分散値を設定して、設定補償分散値を主信号オーバヘッドに含めて送信し、
前記受信側においては、単位時間当たりのビット誤り数を検出して、前記ビット誤り数が最小になったときの前記送信側から通知された補償分散値および前記ビット誤り数を記憶し、逆方向の主信号オーバヘッドを用いて前記送信側に最適な補償分散値を通知することを特徴とする光ファイバ通信システム。
【請求項２】
第１の光通信ノードと、光ファイバ伝送路を介して前記第１の光通信ノードに接続された第２の光通信ノードとからなる光ファイバ通信システムにおいて、
前記第１および第２の光通信ノードは、それぞれ、
クライアント装置に接続された入力端子および出力端子と、
前記入力端子から前記光ファイバ伝送路までの送信側に設けられた第１の高速トランスポンダ、第１の低速トランスポンダ、第１の補償制御部、第１の光スイッチおよびマルチプレクサ部と、
前記光ファイバ伝送路から前記出力端子までの受信側に設けられたデマルチプレクサ部、第２の光スイッチ、第２の補償制御部、第２の高速トランスポンダおよび第２の低速トランスポンダと、を備え、
前記第１および第２の高速トランスポンダ、前記第１および第２の低速トランスポンダは、それぞれ、フレーマ・デフレーマ、プリコーダおよび光送受信器を含み、
前記第１および第２の光通信ノードは、
パス確立コマンドの投入時に、前記第１および第２の光スイッチを制御して、
前記第１の光通信ノード内の第１の低速トランスポンダと前記第２の光通信ノード内の第２の低速トランスポンダとを、前記マルチプレクサ部および前記デマルチプレクサ部を介して相互接続するとともに、
前記第１の光通信ノード内の第２の低速トランスポンダと前記第２の光通信ノード内の第１の低速トランスポンダとを、前記マルチプレクサ部および前記デマルチプレクサ部を介して相互接続し、
前記フレーマ・デフレーマは、前記入力端子および前記出力端子に接続されて、入力／出力信号をフレーム化／デフレーム化し、誤り訂正および単位時間当たりのビット誤り数の検出を行い、
前記プリコーダは、前記フレーマ・デフレーマを介した前記クライアント装置からの入力信号の光パスの波長分散量および逆関数の畳み込みを行い、
前記第１および第２の補償制御部は、
前記第１の光通信ノード内の第１の低速トランスポンダと前記第２の光通信ノード内の第２の低速トランスポンダとの間、および、前記第１の光通信ノード内の第２の低速トランスポンダと、前記第２の光通信ノード内の第１の低速トランスポンダとの間で、前記プリコーダに設定される補償分散値を最適化して決定するために、
前記送信側においては、一定時間間隔で変更される補償分散値を設定して、設定補償分散値を主信号オーバヘッドに含めて送信し、
前記受信側においては、単位時間当たりのビット誤り数を検出して、前記ビット誤り数が最小になったときの前記送信側から通知された補償分散値および前記ビット誤り数を記憶し、逆方向の主信号オーバヘッドを用いて前記送信側に最適な補償分散値を通知し、
前記第１および第２の光通信ノードは、
前記最適な補償分散値の決定後に、前記第１および第２の光スイッチを制御して、
前記第１の光通信ノード内の第１の高速トランスポンダと前記第２の光通信ノード内の第２の高速トランスポンダとを、前記マルチプレクサ部および前記デマルチプレクサ部を介して相互接続するとともに、
前記第１の光通信ノード内の第２の高速トランスポンダと前記第２の光通信ノード内の第１の高速トランスポンダとを、前記マルチプレクサ部および前記デマルチプレクサ部を介して相互接続し、
前記第１および第２の補償制御部は、決定後の前記最適な補償分散値を前記プリコーダに設定することを特徴とする光ファイバ通信システム。
【発明の詳細な説明】
【技術分野】
【０００１】
この発明は、プリディストーション方式を用いた光ファイバ通信システムに関し、特に送信信号に対して最適な補償分散値を設定するための波長分散補償制御技術に関するものである。
【背景技術】
【０００２】
一般に、全光ネットワークにおいては、長距離・広帯域な光パスを確立する際の制約条件として、波長分散による信号波形の歪みがあり、適切に補償する必要がある。
従来の光ファイバ通信システムにおける波長分散補償技術は、ネットワーク建設前の詳細な分散補償設計に基づいて、光ファイバ伝送路と逆符号の分散とを有する分散補償ファイバ（ＤＣＦ：Ｄｉｓｐｅｒｓｉｏｎ  Ｃｏｍｐｅｎｓａｔｉｏｎ  Ｆｉｂｅｒ）を用いた固定的な分散補償を行うことが一般的であった。
【０００３】
しかし、４０Ｇ［ｂｉｔ／ｓｅｃ］以上の高速通信システムにおいては、温度やファイバ割り入れなどによる、わずかな分散量の変化によって、信号波形が歪んでしまうこと、また、障害発生時に代替光パスに切替えると、光パスごとに波長分散が異なることから、可変分散補償技術が必要となる。
【０００４】
従来から、可変分散補償技術の一例として、プリディストーション方式が提案されている（たとえば、特許文献１、非特許文献１参照）。
この種のプリディストーション方式は、光ファイバ伝送路の伝達関数とは逆の伝達関数を時間軸上の畳み込みとして実現するために、入力光データ系列を電気的に演算するものである。
【０００５】
この場合の演算方法には、あらかじめ大規模メモリに変換表を格納したルックアップテーブル方式と、ＦＩＲフィルタで逐次演算する方式と、アナログのトランスバーサルフィルタで演算する方式との３通りがある。
【０００６】
プリディストーション方式による光ファイバ通信システムは、上記３通りの方式のいずれかで発生させた予変調信号を用いて、光のＩ／Ｑ変調を行うことにより、光ファイバ伝送後に分散による群遅延が等化されるような、複素電界を有する光波形を発生させるものである。
【先行技術文献】
【特許文献】
【０００７】
【特許文献１】特表２００６−５２２５０８号公報
【非特許文献】
【０００８】
【非特許文献１】笠史郎、八木幹雄、里見秀一、朝野正一郎著、「超高速波長パスネットワークにおける波長分散補償」、２００４年電子情報通信学会通信ソサエテイ大会、ＢＳＣ−１−１
【発明の概要】
【発明が解決しようとする課題】
【０００９】
従来の光ファイバ通信システムは、プリディストーション方式を用いることにより、可変分散補償を実現することができるが、あらかじめ、光パスの波長分散を測定し、補償すべき波長分散量を光パスの端点ノードの可変分散補償器に設定する必要があるという課題があった。
【００１０】
また、可変分散補償器に設定するパスの波長分散量の設定方法の１つとして、受信側の光ファイバ光通信ノード（以下、単に「光通信ノード」という）に設けられた誤り訂正回路が、訂正するビット誤り数を送信側の光ファイバ光通信ノードにフィードバックして、ビット誤り数が最小（最適）になるように設定する波長分散調整方法も知られているが、ネットワーク初期建設時など、光パス端点の光ファイバ伝送ノード間で通信路が確立していない場合には、フィードバック信号を送出することができないので、可変分散補償器に設定すべき波長分散量を通知することができないという課題があった。
【００１１】
この発明は、上記のような課題を解決するためになされたものであり、プリディストーション方式を適用した光ファイバ伝送システムにおいて、送信側の可変分散補償器に設定する必要がある補償分散値を自動的に決定することのできる光ファイバ通信システムを得ることを目的とする。
【課題を解決するための手段】
【００１２】
この発明に係る光ファイバ通信システムは、第１の光通信ノードと、光ファイバ伝送路を介して第１の光通信ノードに接続された第２の光通信ノードとからなる光ファイバ通信システムにおいて、第１および第２の光通信ノードは、それぞれ、クライアント装置に接続された入力端子および出力端子と、入力端子から光ファイバ伝送路までの送信側に設けられたフレーマ・デフレーマ、プリコーダ、補償制御部および光送信器と、光ファイバ伝送路から出力端子までの受信側に設けられた光受信器およびフレーマ・デフレーマと、を備え、フレーマ・デフレーマは、入力端子および出力端子に接続されて、入力／出力信号をフレーム化／デフレーム化し、誤り訂正および単位時間当たりのビット誤り数の検出を行い、プリコーダは、フレーマ・デフレーマを介した入力信号の光パスの波長分散量および逆関数の畳み込みを行い、光送信器は、プリコーダを介した電気信号を電気／光変換して送信し、光受信器は、光ファイバ伝送路から受信された光信号を光／電気変換してフレーマ・デフレーマに入力し、補償制御部は、プリコーダに設定される補償分散値を最適化して決定するために、送信側においては、一定時間間隔で変更される補償分散値を設定して、設定補償分散値を主信号オーバヘッドに含めて送信し、受信側においては、単位時間当たりのビット誤り数を検出して、ビット誤り数が最小になったときの送信側から通知された補償分散値およびビット誤り数を記憶し、逆方向の主信号オーバヘッドを用いて送信側に最適な補償分散値を通知するものである。
【発明の効果】
【００１３】
この発明によれば、光ファイバ通信システムにおけるプリディストーション方式による波長分散補償システムにおいて、可変分散補償器に設定する補償分散値を決定するために必要であった光パスの波長分散量測定を不要とし、人手を介することなく自動で最適な補償分散値の決定を行い、光パスを導通することができる。
【図面の簡単な説明】
【００１４】
【図１】この発明の実施の形態１に係る光ファイバ通信システムの全体構成を示すブロック図である。
【図２】図１内の各光通信ノード間で送受する光信号の主信号オーバヘッドを示す説明図である。
【図３】図１内の各光通信ノードによる準最適の補償分散値を決定するための光信号送信側の処理手順を示すフローチャートである。
【図４】図１内の各光通信ノードによる準最適の補償分散値を決定するための光信号受信側の処理手順を示すフローチャートである。
【図５】図１内の各光通信ノードにより設定すべき準最適の補償分散値を決定するための処理手順を示す説明図である。
【図６】この発明の実施の形態２に係る光ファイバ通信システムの一部構成を示すブロック図である。
【発明を実施するための形態】
【００１５】
実施の形態１．
図１はこの発明の実施の形態１に係る光ファイバ通信システムの全体構成を示すブロック図である。
図１において、光ファイバ通信システムは、第１および第２の光通信ノード（以下、単に「光通信ノード」という）１０Ａ、１０Ｂと、各光通信ノード１０Ａ、１０Ｂを相互接続する光ファイバ伝送路１１、１２とにより構成されている。
光通信ノード１０Ａおよび光通信ノード１０Ｂは、それぞれ、図示しないクライアント装置（ＩＰルータやＬ２スイッチなど）に接続されており、クライアント装置に対して双方向光パスを提供する。
【００１６】
光通信ノード１０Ａは、入力端子１ａと、フレーマ／デフレーマ（Ｆｒａｍｅｒ／Ｄｅｆｒａｍｅｒ）２ａと、プリコーダ３ａと、光送信器４ａと、光受信器５ａと、出力端子６ａと、補償制御部７ａとを備えている。
【００１７】
同様に、光通信ノード１０Ｂは、入力端子１ｂと、フレーマ／デフレーマ（Ｆｒａｍｅｒ／Ｄｅｆｒａｍｅｒ）２ｂと、プリコーダ３ｂと、光送信器４ｂと、光受信器５ｂと、出力端子６ｂと、補償制御部７ｂとを備えている。
光通信ノード１０Ｂにおいて、光通信ノード１０Ａ内と同一符号に「ｂ」を付したものは、それぞれ、光通信ノード１０Ａ内と同様の機能ブロックであることを示す。
【００１８】
光通信ノード１０Ａの入力端子１ａおよび出力端子６ａは、クライアント装置に接続され、同様に、光通信ノード１０Ｂの入力端子１ｂおよび出力端子６ｂは、クライアント装置に接続されている。
また、光通信ノード１０Ａの光送信器４ａは、光ファイバ伝送路１１を介して、光通信ノード１０Ｂの光受信器５ｂに接続され、光通信ノード１０Ｂの光送信器４ｂは、光ファイバ伝送路１２を介して、光通信ノード１０Ａの光受信器５ａに接続されている。
【００１９】
光通信ノード１０Ａにおいて、入力端子１ａは、クライアント装置からの入力信号を取り込み、出力端子６ａは、クライアント装置への出力信号を送出する。
フレーマ／デフレーマ２ａは、入力端子１ａおよび出力端子６ａに接続され、クライアント装置からの入力信号およびクライアント装置への出力信号をＳＤＨ（Ｓｙｎｃｒｏｎｏｕｓ  Ｄｅｇｉｔａｌ  Ｈｉｅｒａｃｈｙ）信号にフレーム化／デフレーム化するとともに、誤り訂正およびＢＥＲ（単位時間当たりのビット誤り数）の検出を行う。
【００２０】
プリコーダ３ａは、フレーマ／デフレーマ２ａを介した入力信号に対して予変調を行い、補償制御部７ａは、プリコーダ３ａに対して補償分散値の設定を行う。
また、補償制御部７ａは、図示しないメモリ（ＲＡＭ）を有しており、可変分散量の最適な補償分散値の管理を行い、可変分散量の最適な補償分散値の検出や、主信号オーバヘッド内に挿入されている準最適の補償分散値と自装置で観測される検出ＢＥＲとを対応づけて、メモリに記録・更新を行う。
【００２１】
光送信器４ａは、プリコーダ３ａの出力信号を電気／光変換して光ファイバ伝送路１１に導入し、光信号を光通信ノード１０Ｂに送信する。一方、光受信器５ａは、光通信ノード１０Ｂから光ファイバ伝送路１２を介して導入される光信号を光／電気変換する。
出力端子６ａは、光／電気変換された電気信号を、フレーマ／デフレーマ２ａを介してクライアント装置への出力信号として送出する。
【００２２】
光通信ノード１０Ａにおいて、入力端子１ａから光ファイバ伝送路１１までの送信側には、フレーマ・デフレーマ２ａ、プリコーダ３ａ、補償制御部７ａおよび光送信器４ａが設けられ、光ファイバ伝送路１２から出力端子６ａまでの受信側には、光受信器５ａおよびフレーマ・デフレーマ２ａが設けられている。
【００２３】
同様に、光通信ノード１０Ｂにおいて、入力端子１ｂから光ファイバ伝送路１２までの送信側には、フレーマ・デフレーマ２ｂ、プリコーダ３ｂ、補償制御部７ｂおよび光送信器４ｂが設けられ、光ファイバ伝送路１１から出力端子６ｂまでの受信側には、光受信器５ｂおよびフレーマ・デフレーマ２ｂが設けられている。
なお、光通信ノード１０Ａ、１０Ｂは、運用者からのパス確立コマンド（後述する）に応答して動作する。
【００２４】
次に、図２〜図５を参照しながら、光パスが導通する準最適の補償分散値を決定するための、光通信ノード１０Ａおよび光通信ノード１０Ｂによる処理手順について説明する。
図２は光通信ノード１０Ａ、１０Ｂで送受する光信号の主信号オーバヘッドを示す説明図である。
【００２５】
たとえば、前述のＳＤＨ信号を適用した場合には、図２のように、各フィールド２０１〜２０４を、伝送フレームの空きオーバヘッド領域に追加定義して使用する。
図２において、フィールド２０１は、自装置（光通信ノード１０Ａ)のプリコーダ３ａに設定する補償分散値を対向装置（光通信ノード１０Ｂ)に通知するためのものである。
【００２６】
フィールド２０２は、自装置（光通信ノード１０Ａ)で観測された現在の検出ＢＥＲを対向装置（光通信ノード１０Ｂ)に通知するためのものである。
フィールド２０３は、自装置（光通信ノード１０Ａ)のメモリに記録している準最適の補償分散値を対向装置（光通信ノード１０Ｂ)に通知するためのものである。
フィールド２０４は、自装置（光通信ノード１０Ａ)のメモリに記録している最適ＢＥＲを対向装置（光通信ノード１０Ｂ)に通知するためのフィールドである。
【００２７】
図３および図４は光通信ノード１０Ａ、１０Ｂによる準最適の補償分散値を決定するための処理手順を示すフローチャートであり、図３は対向光通信ノードに光信号を送出する光信号送信側の処理手順を示し、図４は対向光通信ノードから光信号を受信する光信号受信側の処理手順を示している。
なお、光通信ノード１０Ａ、１０Ｂは、構成および動作が同様なので、ここでは光通信ノード１０Ａのみに注目して説明する。
【００２８】
まず、図３に示した光信号送信処理について説明する。
運用者は、双方向光パス確立動作のトリガとなるパス確立コマンドを、各光通信ノード１０Ａ、１０Ｂに入力し、これに応答して光通信ノード１０Ａ、１０Ｂが動作する。
光パス確立のトリガとなるコマンドが入力された際の光通信ノード１０Ａは、以下の処理を一定時間間隔Ｔａで実行する。
【００２９】
図３において、補償制御部７ａは、準最適の補償分散値をメモリ（ＲＡＭ）に記録しているか否かをチェックし（ステップ３０１）、準最適の補償分散値がメモリに記録されている（すなわち、Ｙｅｓ）と判定されれば、記録された準最適の補償分散値をプリコーダ３ａに設定する（ステップ３０２）。
【００３０】
一方、ステップ３０１において、準最適の補償分散値がメモリに記録されていない（すなわち、Ｎｏ）と判定された場合には、コマンド投入直後であれば、デフォルトとして定められた補償分散値を設定する。また、コマンド投入後の周期的な処理であれば、設定する補償分散値を、指定された最大値から最小値内で、補償分散量を変化させて設定する（ステップ３０３）。
【００３１】
最後に、補償制御部７ａは、フレーマ／デフレーマ２ａで測定しているＢＥＲの観測を行い、観測された検出ＢＥＲと、プリコーダ３ａに設定した補償分散値と、メモリに記録してある最適ＢＥＲと、準最適の補償分散値とを、フレーマ／デフレーマ２ａに与えるとともに、主信号オーバヘッド（図２参照）に挿入する（ステップ３０４）。
【００３２】
すなわち、フレーマ／デフレーマ２ａは、クライアント装置からの入力信号をフレーム化する際に、補償制御部７ａから与えられた補償分散値、検出ＢＥＲ、準最適の補償分散値および最適ＢＥＲを、図２に示す主信号オーバヘッドにそれぞれ挿入する（ステップ３０４）。
以下、ステップ３０１に戻り、一定時間間隔Ｔａでステップ３０１〜３０４を繰り返し実行する。
【００３３】
以上のように、入力端子１ａから入力されたクライアント装置からの入力信号は、フレーマ／デフレーマ２ａでフレーム化および誤り訂正符号化された後、プリコーダ３ａに入力される。
プリコーダ３ａは、補償制御部７ａが設定した補償分散値（光パスの波長分散量）と逆関数とで畳みこみを行い、光送信器４ａは、電気／光変換を行い、光ファイバ伝送路１１上に光信号を送出する。
【００３４】
光通信ノード１０Ｂにおいても、補償制御部７ｂ、フレーマ／デフレーマ２ｂ、プリコーダ３ｂ、光送信器４ｂにより、図３と同様の光信号送信処理が行われる。
【００３５】
次に、図４に示した光信号受信処理について説明する。
光通信ノード１０Ａにおいては、光パス確立のトリガとなるパス確立コマンドが入力された際に、まず、光受信器５ａにより光ファイバ伝送路１２を伝搬して入力される光信号を電気信号に変換し、続いて、フレーマ・デフレーマ２ａは、ビット誤りの訂正およびデフレーム化した後、出力端子６ａからクライアント装置に出力する。
【００３６】
図４において、補償制御部７ａは、準最適の補償分散値を得るために、まず、フレーム同期がとれているか否かをチェックし（ステップ４０１）、フレーム同期がとれない（すなわち、Ｎｏ）と判定されれば、何も処理を実行せずに、ステップ４０１に戻る。
【００３７】
なぜなら、対向装置（光通信ノード１０Ｂ）において、プリコーダ３ｂに設定する補償分散値が最適な補償分散値から大きく外れている場合には、受信信号が歪み、フレーム同期がとれずに、主信号オーバヘッド内に記されている値を参照することも、ＢＥＲを観測することも不可能になるからである。
【００３８】
一方、ステップ４０１において、フレーム同期がとれる（すなわち、Ｙｅｓ）と判定された場合には、補償制御部７ａは、ＢＥＲを観測するとともに、受信主信号オーバヘッド内に挿入されている補償分散値の値を読み込む（ステップ４０２）。
この場合、対向装置（光通信ノード１０Ｂ）において、プリコーダ３ｂに設定する補償分散値が最適な補償分散値に近い準最適の補償分散値であることから、フレーム同期がとれ、主信号オーバヘッド内に記録されている値を参照することも、ＢＥＲを観測することも可能となる。
【００３９】
次に、観測された検出ＢＥＲが、メモリに記録している最適ＢＥＲよりも小さいか否かをチェックし（ステップ４０３）、メモリ内の最適ＢＥＲ≦検出ＢＥＲ（すなわち、Ｎｏ）と判定されれば、ステップ４０１に戻る。
【００４０】
一方、ステップ４０３において、メモリ内の最適ＢＥＲ＞検出ＢＥＲ（すなわち、Ｙｅｓ）と判定されれば、補償制御部７ａは、メモリに記録されている最適ＢＥＲを検出ＢＥＲに更新するとともに、メモリに記録されている準最適の補償分散値を受信主信号オーバヘッド内に挿入されている補償分散値（設定補償分散値）に更新して（ステップ４０４）、ステップ４０１に戻り、上記処理手順を繰り返し実行する。
【００４１】
光通信ノード１０Ｂにおいても、光受信器５ｂ、補償制御部７ｂ、フレーマ／デフレーマ２ｂにより、図４と同様の光信号送信処理が行われる。
【００４２】
図５は光通信ノード１０Ａ、１０Ｂにより設定すべき準最適の補償分散値を決定するための処理手順を示す説明図である。
図５においては、前提条件として、光通信ノード１０Ａから光通信ノード１０Ｂへの方向の光信号が導通するために、光通信ノード１０Ａのプリコーダ３ａに設定すべき準最適の補償分散値を「Ａ３」としている。
【００４３】
また、光通信ノード１０Ｂから光通信ノード１０Ａへの方向の光信号が導通するために、光通信ノード１０Ｂのプリコーダ３ｂに設定すべき準最適の補償分散値を「Ｂ５」としている。
図５は、上記前提条件で、設定すべき準最適の補償分散値を決定するための処理手順を示している。
【００４４】
図５において、左側は、光通信ノード１０Ａから光通信ノード１０Ｂへの光信号方向について記載しており、右側は、逆に、光通信ノード１０Ｂから光通信ノード１０Ａへの光信号方向について記載している。
また、各光通信ノード１０Ａ、１０Ｂの間に付された矢印は、主信号の方向と主信号オーバヘッドに挿入される内容を示している。
【００４５】
まず、パス確立コマンドの投入時に、図５内の右側に示すように、光通信ノード１０Ｂの送信側においては、パス確立コマンドをトリガとして、デフォルトの補償分散値「Ｂ０」をプリコーダ３ｂに設定し、光送信器４ｂおよび光ファイバ伝送路１２を介して、光信号を光通信ノード１０Ａに送出する。
このとき、主信号オーバヘッド（図２内のフィールド２０１）には、自装置のプリコーダ３ｂに設定した補償分散値「Ｂ０」を挿入する。
【００４６】
一方、このとき、図５内の左側に示すように、光通信ノード１０Ｂの受信側においては、光通信ノード１０Ａがプリコーダ３ａに設定した補償分散値「Ａ０」が、準最適の補償分散値から大きく外れているので、フレーム同期ができないほど受信波形が歪んでおり、ＢＥＲ（誤りフレーム数）を検出することも、受信オーバヘッド内の設定補償分散値を検出することも不可能である。
したがって、主信号オーバヘッド内のフィールド２０３、２０２には、準最適の補償分散値および検出ＢＥＲの値として、無効値「−−」、「∞＝検出不可能」が設定される。
【００４７】
以後、光通信ノード１０Ｂは、一定時間間隔Ｔｂが経過するごとに、送信側処理において、自装置のプリコーダ３ｂに設定する値を、「Ｂ１」、「Ｂ２」、「Ｂ３」、・・・、と一定時間間隔Ｔｂで変更していき、プリコーダ３ｂに設定した補償分散値を主信号オーバヘッド（フィールド２０１）に挿入する。
また、受信側処理においては、光通信ノード１０Ａからの受信信号に基づき、ＢＥＲおよび受信主信号オーバヘッド内の補償分散値の検出を行う。
【００４８】
また、光通信ノード１０Ａにおいても、図５内の左側に示すように、パス確立コマンドをトリガとして、上記の光通信ノード１０Ｂと同等の処理を一定時間間隔Ｔａで実行し、自装置のプリコーダ３ａに設定する値を、「Ａ１」、「Ａ２」、「Ａ３」、・・・、と変更する。
【００４９】
図５内の左側において、光通信ノード１０Ａにパス確立コマンドを投入してから期間「２×Ｔａ」が経過すると、光通信ノード１０Ａは、補償分散値「Ａ２」をプリコーダ３ａに設定し、主信号オーバヘッド（フィールド２０１）の設定補償分散値に「Ａ２」を挿入する。
【００５０】
このとき、設定補償分散値「Ａ２」は準最適の補償分散値であることから、光通信ノード１０Ｂ（受信側）においては、フレーム同期がとれるので、ＢＥＲの検出および受信主信号オーバヘッド内の設定補償分散値の検出（図４内のステップ４０２）が可能である。
【００５１】
したがって、光通信ノード１０Ｂの補償制御部７ｂは、最小ＢＥＲ（最適ＢＥＲ）を「Ｅ１」と記録し、そのときの準最適の補償分散値を「Ａ２」と記録する。
また、自装置の設定補償分散値を変更する際（コマンド投入から期間「３×Ｔｂ」の経過後）に、送信する主信号オーバヘッド（フィールド２０４、２０３）に、最適ＢＥＲ「Ｅ１」と準最適の補償分散値「Ａ２」を挿入する。
【００５２】
続いて、光通信ノード１０Ａにパス確立コマンドを投入してから期間「３×Ｔａ」が経過すると、光通信ノード１０Ａは、プリコーダ３ａに設定する補償分散値を「Ａ３」とし、主信号オーバヘッド（フィールド２０１）内の設定補償分散値に「Ａ３」を挿入する。
【００５３】
このとき、設定補償分散値「Ａ３」は準最適の補償分散値であることから、光通信ノード１０Ｂにおいては、フレーム同期がとれるので、期間「２×Ｔａ」の経過時と同様に、ＢＥＲの検出および受信主信号オーバヘッド内の設定補償分散値の検出が可能である。
【００５４】
期間「３×Ｔａ」の経過時においては、検出ＢＥＲが「Ｅ２」、主信号オーバヘッド内の設定補償分散値が「Ａ３」であり、補償制御部７ｂで記録している最適ＢＥＲ「Ｅ１」、「Ｅ２」の比較結果が「Ｅ１＞Ｅ２」である。
【００５５】
したがって、光通信ノード１０Ｂの補償制御部７ｂは、記録している最適ＢＥＲ、および、この時点での準最適の補償分散値を、それぞれ、「Ｅ２」、「Ａ３」に更新する。また、更新後の値「Ｅ２」、「Ａ３」を、次に自装置の設定補償分散値を変更する際（コマンド投入から期間「４×Ｔｂ」の経過後）に送信する主信号オーバヘッド（フィールド２０４、２０３）に挿入する。
【００５６】
続いて、光通信ノード１０Ａにパス確立コマンドを投入してから期間「４×Ｔａ」が経過すると、光通信ノード１０Ａは、プリコーダ３ａに設定する補償分散値を「Ａ３」から「Ａ４」に変更し、主信号オーバヘッドの設定補償分散値に「Ａ４」を挿入する。
【００５７】
このとき、設定補償分散値「Ａ４」は準最適の補償分散値から逸脱していることから、光通信ノード１０Ｂにおいては、フレーム同期がとれないほど受信波形が歪むので、ＢＥＲを検出することも、受信主信号オーバヘッド内の設定補償分散値を検出することも不可能となる。
【００５８】
したがって、光通信ノード１０Ｂは、補償制御部７ｂ内に記録している最適ＢＥＲ「Ｅ２」および準最適の補償分散値「Ａ３」を更新せず、また、次に自装置の設定補償分散値を変更する際（コマンド投入から期間「５×Ｔｂ」の経過後）に送信する主信号オーバヘッドに挿入する準最適の補償分散値および最適ＢＥＲの値も変更しない。
【００５９】
一方、図５内の右側において、光通信ノード１０Ｂにパス確立コマンドを投入してから期間「５×Ｔｂ」が経過すると、光通信ノード１０Ｂは、プリコーダ３ｂに設定する補償分散値を「Ｂ５」とし、主信号オーバヘッド（フィールド２０１）内の設定補償分散値に「Ｂ５」を挿入する。
【００６０】
このとき、光通信ノード１０Ｂにおける設定補償分散値「Ｂ５」は、準最適の補償分散値であることから、光通信ノード１０Ａ（受信側）においては、フレーム同期がとれるので、ＢＥＲの検出および受信主信号オーバヘッド内の設定補償分散値の検出が可能となる。
【００６１】
期間「５×Ｔｂ」の経過時においては、検出ＢＥＲが「Ｅ１」、主信号オーバヘッド内の設定補償分散値が「Ｂ５」であり、検出ＢＥＲが「∞＝検出不可能」から「Ｅ１」に変更されるので、光通信ノード１０Ｂの補償制御部７ｂは、記録している最適ＢＥＲと、最適ＢＥＲにおける準最適の補償分散値とのペア値を「Ｅ１」、「Ｂ５」に更新する。
また、主信号オーバヘッド内の準最適の補償分散値が「Ａ３」であることを検出し、自装置のプリコーダ３ｂに設定すべき準最適の補償分散値を記録する。
【００６２】
図５内の左側において、光通信ノード１０Ａは、次に自装置の設定補償分散値を変更する際（コマンド投入から期間「５×Ｔａ」の経過後）に、プリコーダ３ａに学習した準最適の補償分散値「Ａ３」を設定して、主信号オーバヘッド（フィールド２０１）内の設定補償分散値に挿入する。
また、補償制御部７ａ内に記録している最適ＢＥＲ「Ｅ１」と、その時点での準最適の補償分散値「Ｂ５」とを、それぞれ、主信号オーバヘッド（フィールド２０４、２０３）内に設定する。
【００６３】
このとき、設定補償分散値「Ａ３」は準最適の補償分散値であることから、光通信ノード１０Ｂにおいては、フレーム同期がとれるので、ＢＥＲの検出および受信主信号オーバヘッド内の設定補償分散値の検出が可能となる。
【００６４】
期間「５×Ｔａ」の経過時においては、検出ＢＥＲが「Ｅ２」、主信号オーバヘッド内の設定補償分散値が「Ａ３」であり、光通信ノード１０Ｂの補償制御部７ｂは、記録している最適ＢＥＲ「Ｅ２」と検出ＢＥＲ「Ｅ２」との比較結果に変化がないので、更新は行わない。
また、光通信ノード１０Ｂは、主信号オーバヘッド内の準最適の補償分散値が「Ｂ５」であることを検出し、自装置のプリコーダ３ｂに設定すべき準最適の補償分散値を記録する。
【００６５】
この最終段階において、光通信ノード１０Ａは、準最適の補償分散値が「Ａ３」であることを学習し、光通信ノード１０Ｂは、準最適の補償分散値が「Ｂ５」であることを学習する。
この結果、光通信ノード１０Ａから光通信ノード１０Ｂへの方向と、光通信ノード１０Ｂから光通信ノード１０Ａへの方向との双方向で、主信号が導通する状態となる。
【００６６】
このように、検出ＢＥＲをリアルタイムにフィードバックすることが可能となり、光通信ノード１０Ａ、１０Ｂは、フィードバックされたＢＥＲが最小（最適）になるように、設定補償分散値を、準最適の補償分散値の近傍の狭い範囲で検索し、最適な補償分散値を決定する。
【００６７】
以上のように、この発明の実施の形態１（図１〜図５）に係る光ファイバ通信システムは、光通信ノード１０Ａと、光ファイバ伝送路１１、１２を介して光通信ノード１０Ａに接続された光通信ノード１０Ｂとにより構成されており、各光通信ノード１０Ａ、１０Ｂは、クライアント装置に接続された入力端子１ａ、１ｂおよび出力端子６ａ、６ｂを備えている。
【００６８】
また、光通信ノード１０Ａ（１０Ｂ）は、入力端子１ａ（１ｂ）から光ファイバ伝送路１１（１２）までの送信側に設けられたフレーマ・デフレーマ２ａ（２ｂ）、プリコーダ３ａ（３ｂ）、補償制御部７ａ（７ｂ）および光送信器４ａ（４ｂ）と、光ファイバ伝送路１２（１１）から出力端子６ａ（６ｂ）までの受信側に設けられた光受信器５ａ（５ｂ）およびフレーマ・デフレーマ２ａ（２ｂ）とを備えている。
【００６９】
フレーマ・デフレーマ２ａ（２ｂ）は、入力端子１ａ（１ｂ）および出力端子６ａ（６ｂ）に接続されて、入力／出力信号をフレーム化／デフレーム化し、誤り訂正および単位時間当たりのビット誤り数ＢＥＲの検出を行い、プリコーダ３ａ（３ｂ）は、フレーマ・デフレーマ２ａ（２ｂ）を介した入力信号の光パスの波長分散量および逆関数の畳み込みを行う。
【００７０】
光送信器４ａ（４ｂ）は、プリコーダ３ａ（３ｂ）を介した電気信号を電気／光変換して送信する。
光受信器５ａ（５ｂ）は、光ファイバ伝送路１２（１１）から受信された光信号を光／電気変換してフレーマ・デフレーマ２ａ（２ｂ）に入力する。
【００７１】
補償制御部７ａ（７ｂ）は、プリコーダ３ａ（３ｂ）に設定される補償分散値を最適化して決定するために、送信側においては、一定時間間隔Ｔａ（Ｔｂ）で変更される補償分散値を設定して、設定補償分散値を主信号オーバヘッドに含めて送信し、受信側においては、単位時間当たりのビット誤り数ＢＥＲを検出して、ビット誤り数が最小になったときの送信側から通知された補償分散値およびビット誤り数を記憶し、逆方向の主信号オーバヘッドを用いて送信側に最適な補償分散値を通知する。
【００７２】
すなわち、プリディストーション方式の波長分散補償を適用する光パスにおいて、送信側においては、一定時間間隔Ｔａ（Ｔｂ）で補償分散値を変更しつつ、主信号オーバヘッドに時々刻々の補償分散値を含めて送信し、受信側においては、ＢＥＲを測定して誤り数が最小になったときの補償分散値を記憶して、逆方向の主信号のオーバヘッドを用いて送信側へ通知する。
【００７３】
これにより、送信側に対して、変更していった範囲内での最適な補償分散値を通知することができ、測定器を用いてパスの分散量を測定する必要がなく、補償分散値の設定を自動的に行うことができる。
また、双方向導通していない場合であっても、補償分散値の設定を自動的に行うことができる。
【００７４】
したがって、この発明の実施の形態１によれば、光ファイバ通信システムにおけるプリディストーション方式による波長分散補償システムにおいて、可変分散補償器に設定する補償分散値を決定するために必要であった光パスの波長分散量測定を不要とし、人手を介することなく自動で最適な補償分散値の決定を行い、光パスを導通することができる。
【００７５】
実施の形態２．
なお、上記実施の形態１では、複数波長の多重伝送について言及しなかったが、図６のように、複数波長の多重伝送を行う光ファイバ通信システムに適用してもよい。
図６はこの発明の実施の形態２に係る光ファイバ通信システムを示すブロック図であり、光通信ノード６０Ａ、６０Ｂ内に複数の光送受信器（トランスポンダ）を実装し、複数波長を多重して伝送可能にした構成例を示している。
【００７６】
なお、図６においては、煩雑さを回避するために、光通信ノード６０Ａから光通信ノード６０Ｂへの光パスを導通する構成のみを代表的に示しているが、光通信ノード６０Ｂから光通信ノード６０Ａへの光パスを導通するための対称的な構成（図示せず）を並列に備えていることは言うまでもない。
【００７７】
すなわち、光通信ノード６０Ａは、光通信ノード６０Ｂと同一の構成（左右反転）を並列に備えており、クライアント装置に接続された出力端子６６ａ（図示せず）を有する。
同様に、光通信ノード６０Ｂは、光通信ノード６０Ａと同一の構成（左右反転）を並列に備えており、クライアント装置に接続された入力端子６１ｂ（図示せず）を有する。
【００７８】
図６において、光通信ノード６０Ａは、クライアント装置に接続された入力端子６１ａと、光ファイバ伝送路６８に接続されたＭＵＸ（マルチプレクサ）部６２ａと、ＭＵＸ部６２ａの入力側に接続された第１の光スイッチ（以下、単に「光スイッチ」という）６３ａと、第１の１０Ｇトランスポンダ（以下、単に「１０Ｇトランスポンダ」という）６４ａと、第１の４０Ｇトランスポンダ（以下、単に「４０Ｇトランスポンダ」という）６５ａと、第１の補償制御部（以下、単に「補償制御部」という）６７ａと、を備えている。
【００７９】
同様に、光通信ノード６０Ｂは、クライアント装置に接続された出力端子６６ｂと、光ファイバ伝送路６８に接続されたＤＥＭＵＸ（デマルチプレクサ）部６２ｂと、ＤＥＭＵＸ部６２ｂの出力側に接続された第２の光スイッチ（以下、単に「光スイッチ」という）６３ｂと、第２の１０Ｇトランスポンダ（以下、単に「１０Ｇトランスポンダ」という）６４ｂと、第２の４０Ｇトランスポンダ（以下、単に「４０Ｇトランスポンダ」という）６５ｂと、第２の補償制御部（以下、単に「補償制御部」という）６７ｂと、を備えている。
【００８０】
４０Ｇトランスポンダ６５ａ、６５ｂは、伝送速度が４０Ｇ［ｂｉｔ／ｓｅｃ］（高速伝送レート）の光信号送受信基板を示し、１０Ｇトランスポンダ６４ａ、６４ｂは、伝送速度が１０Ｇ［ｂｉｔ／ｓｅｃ］（低速伝送レート）の光信号送受信基板を示す。
【００８１】
各トランスポンダは、前述（図１）のフレーマ／デフレーマ２ａ（２ｂ）と、プリコーダ３ａ（３ｂ）と、光送信器４ａ（４ｂ）と、光受信器５ａ（５ｂ）とを、まとめて含むものである。
なお、１０Ｇトランスポンダ６４ａ（６４ｂ）は、複数の４０Ｇトランスポンダ６５ａ（６５ｂ）を用いた光パスを確立する際に、各トランスポンダ内のプリコーダ（図示せず）に設定すべき最適な補償分散値を決定するのに共有して使用することが可能である。
【００８２】
光通信ノード６０Ａ内のＭＵＸ部６２ａは、波長λｘ（ｘ＝１、２、・・・、ｎ）の光信号を波長多重し、光ファイバ伝送路６８を介して隣接接続された光通信ノード６０Ｂに送出する。
一方、光通信ノード６０Ｂ内のＤＥＭＵＸ部６２ｂは、光ファイバ伝送路６８を介した受信光信号（波長多重信号）を分離する。
【００８３】
光通信ノード６０Ａ内の光スイッチ６３ａは、各トランスポンダ６４ａ、６５ａから送出される光信号を選択して、ＭＵＸ部６２ａに入力する。
一方、光通信ノード６０Ｂ内の光スイッチ６３ｂは、ＤＥＭＵＸ部６２ｂで分離された光信号を、各トランスポンダ６４ｂ、６５ｂのいずれに送出するかを選択する。
【００８４】
各光通信ノード６０Ａ、６０Ｂにおいて、補償制御部６７ａ、６７ｂは、それぞれ、自装置内の各トランスポンダ内に実装されたプリコーダに補償分散値を設定し、最適な補償分散値の管理を行う。
すなわち、補償制御部６７ａ、６７ｂは、前述（図５）と同様の処理手順を実行することにより、最適な補償分散値を決定する。
【００８５】
次に、図６に示したこの発明の実施の形態２による準最適の補償分散値を決定するための処理手順について説明する。
ここでは、光通信ノード６０Ａ、６０Ｂにより４０Ｇトランスポンダ６５ａ、６５ｂを使用した波長λｘの双方向光パスを開通させるための処理手順について説明する。なお、前提条件として、４０Ｇトランスポンダ６５ａ、６５ｂおよび１０Ｇトランスポンダ６４ａ、６４ｂが、ともに未使用状態とする。
【００８６】
まず、運用者は、双方向の光パス確立動作のトリガとなるパス確立コマンドを、光通信ノード６０Ａ、６０Ｂのそれぞれに入力する。このとき、コマンドのパラメータとして、トランスポンダおよび波長（この場合、４０Ｇトランスポンダ、波長λｘ）を指定する。
【００８７】
コマンドを受信した光通信ノード６０Ａ、６０Ｂは、４０Ｇトランスポンダ６５ａ、６５ｂよりも低速のトランスポンダ（たとえば、１０Ｇトランスポンダ６４ａ、６４ｂ）で未使用なものが存在するか否かをチェックし、未使用なものが存在すれば、その低速トランスポンダを使用して、光通信ノード６０Ａと光通信ノード６０Ｂとの間で、波長λｘの光パスを導通するための最適な補償分散値を導出する。
図６においては、実線矢印で示すように、未使用の１０Ｇトランスポンダ６４ａ、６４ｂを用いた波長λｘの光パスを確立し、最適な補償分散値を決定する。
【００８８】
パス確立コマンドが入力された光通信ノード６０Ａは、光スイッチ６３ａを制御し、１０Ｇトランスポンダ６４ａから送出される光信号が、ＭＵＸ部６２ａのλｘポートに送出されるように、ポート切替を行う。
【００８９】
同様に、パス確立コマンドが入力された光通信ノード６０Ｂは、光スイッチ６３ｂを制御し、ＤＥＭＵＸ部６２ｂで波長分離された波長λｘの光信号が、１０Ｇトランスポンダ６４ｂに送出されるように、ポートの切替を行う（実線矢印参照）。
【００９０】
以下、光通信ノード６０Ａ、６０Ｂは、前述（図５）と同様の処理手順を実行し、１０Ｇトランスポンダ６４ａ、６４ｂ内のプリコーダに設定する準最適の補償分散値を決定する。
また、光パスの導通後においては、検出ＢＥＲを、隣接接続された対向の光通信ノードにリアルタイムにフィードバックすることにより、最適な補償分散値を決定する。
【００９１】
最適な補償分散値の決定後において、光通信ノード６０Ａは、破線矢印で示すように、光スイッチ６３ａを切替えて、ＭＵＸ部６２ａのλｘポートに導入される光信号を、１０Ｇトランスポンダ６４ａが送出する光信号から、４０Ｇトランスポンダ６５ａが送出する光信号に切替える。
【００９２】
同様に、光通信ノード６０Ｂは、光スイッチ６３ｂを切替えて、ＤＥＭＵＸ部６２ｂのλｘポートからの光信号の送出対象を、１０Ｇトランスポンダ６４ｂから４０Ｇトランスポンダ６５ｂに切替える（破線矢印参照）。
【００９３】
こうして、光スイッチ６３ａ、６３ｂの切替が完了した後に、各光通信ノード６０Ａ、６０Ｂは、４０Ｇトランスポンダ６５ａ、６５ｂに設定する波長をλｘに設定するとともに、各トランスポンダ内のプリコーダに最適な補償分散値を設定して、光パスを開通させる。
【００９４】
光通信ノード６０Ｂから光通信ノード６０Ｂへの光パスを導通させる場合も、上記と同様の処理手順が行われる。
なお、上記説明では、高速なトランスポンダとして４０Ｇトランスポンダ６５ａ、６５ｂを用い、低速なトランスポンダとして１０Ｇトランスポンダ６４ａ、６４ｂを用いたが、これに限定されることはなく、必要に応じて任意の伝送速度のトランスポンダを用いることができる。
【００９５】
以上のように、この発明の実施の形態２（図６）に係る光ファイバ通信システムは、光通信ノード６０Ａと、光ファイバ伝送路６８を介して光通信ノード６０Ａに接続された光通信ノード６０Ｂとにより構成されており、光通信ノード６０Ａ、６０Ｂは、それぞれ、クライアント装置に接続された入力端子６１ａ、６１ｂおよび出力端子６６ａ、６６ｂとを備えている。
【００９６】
光通信ノード６０Ａは、入力端子６１ａから光ファイバ伝送路６８までの送信側に設けられた４０Ｇトランスポンダ（高速トランスポンダ）６５ａ、１０Ｇトランスポンダ（低速トランスポンダ）６４ａ、補償制御部６７ａ、光スイッチ６３ａおよびＭＵＸ部６２ａを備えている。
【００９７】
また、光通信ノード６０Ｂは、光ファイバ伝送路６８から出力端子６６ｂまでの受信側に設けられたＤＥＭＵＸ部６２ｂ、光スイッチ６３ｂ、補償制御部６７ｂ、４０Ｇトランスポンダ（高速トランスポンダ）６５ｂおよび１０Ｇトランスポンダ（低速トランスポンダ）６４ｂを備えている。
４０Ｇトランスポンダ６５ａ、６５ｂおよび１０Ｇトランスポンダ６４ａ、６４ｂは、それぞれ、フレーマ・デフレーマ、プリコーダおよび光送受信器を含む。
【００９８】
光通信ノード６０Ａ、６０Ｂは、パス確立コマンドの投入時に、光スイッチ６３ａ、６３ｂを制御して、１０Ｇトランスポンダ６４ａと１０Ｇトランスポンダ６４ｂとを、ＭＵＸ部６２ａおよびＤＥＭＵＸ部６２ｂを介して相互接続する。
また、同時に、光通信ノード６０Ａ内の第２の低速トランスポンダと光通信ノード６０Ｂ内の第１の低速トランスポンダとを、ＭＵＸ部およびＤＥＭＵＸ部（いずれも図示せず）を介して相互接続する。
【００９９】
各トランスポンダ内のフレーマ・デフレーマは、前述の実施の形態１と同様に、入力端子および出力端子に接続されて、入力／出力信号をフレーム化／デフレーム化し、誤り訂正および単位時間当たりのビット誤り数の検出を行い、各トランスポンダ内のプリコーダは、フレーマ・デフレーマを介したクライアント装置からの入力信号の光パスの波長分散量および逆関数の畳み込みを行う。
【０１００】
補償制御部６７ａ、６７ｂは、１０Ｇトランスポンダ６４ａと１０Ｇトランスポンダ６４ｂとの間、および、光通信ノード６０Ａ内の低速トランスポンダと、光通信ノード６０Ｂ内の低速トランスポンダとの間で、プリコーダに設定される補償分散値を最適化して決定するために、前述の実施の形態１と同様に、送信側においては、一定時間間隔で変更される補償分散値を設定して、設定補償分散値を主信号オーバヘッドに含めて送信する。
【０１０１】
また、補償制御部６７ａ、６７ｂは、前述の実施の形態１と同様に、受信側においては、単位時間当たりのビット誤り数を検出して、ビット誤り数が最小になったときの送信側から通知された補償分散値およびビット誤り数を記憶し、逆方向の主信号オーバヘッドを用いて送信側に最適な補償分散値を通知する。
【０１０２】
光通信ノード６０Ａ、６０Ｂは、低速トランスポンダの相互接続状態における最適な補償分散値の決定後に、光スイッチ６３ａ、６３ｂを制御して、４０Ｇトランスポンダ６５ａと４０Ｇトランスポンダ６５ｂとを、ＭＵＸ部６２ａおよびＤＥＭＵＸ部６２ｂを介して相互接続する。
【０１０３】
また、同時に、光通信ノード６０Ａ内の第２の高速トランスポンダと光通信ノード６０Ｂ内の第１の高速トランスポンダとを、ＭＵＸ部およびＤＥＭＵＸ部（いずれも図示せず）を介して相互接続する。
最後に、補償制御部６７ａ、６７ｂは、決定後の最適な補償分散値をプリコーダに設定する。
【０１０４】
このとき、パス確立コマンドの投入時において、最初に相互接続される伝送レートが低い１０Ｇ［ｂｉｔ／ｓｅｃ］の１０Ｇトランスポンダは、伝送レートが高い４０Ｇ［ｂｉｔ／ｓｅｃ］の４０Ｇトランスポンダに比べて、準最適の補償分散値の範囲が広いので、前述（図５）の一定時間間隔Ｔａ（Ｔｂ）で補償分散値を変更しつつ、最適な補償分散値を決定する処理手順を使用した場合、最適な補償分散値を決定する時間を短縮することができる。
【０１０５】
また、伝送レートが高速な４０Ｇｂｉｔ／ｓの４０Ｇトランスポンダで光パスを確立する際に、未使用の低速な１０Ｇトランスポンダを用いて最適な補償分散値を決定した後、学習済みの最適な補償分散値を、本来の光パスに使用する高速な４０Ｇトランスポンダに設定することにより、光パス確立までの時間を短縮することが可能となる。
【符号の説明】
【０１０６】
１ａ、１ｂ  入力端子、２ａ、２ｂ  フレーマ・デフレーマ、３ａ、３ｂ  プリコーダ、４ａ、４ｂ  光送信器、５ａ、５ｂ  光受信器、６ａ、６ｂ  出力端子、７ａ、７ｂ  補償制御部、１０Ａ、１０Ｂ  光通信ノード、１１、１２  光ファイバ伝送路、６０Ａ、６０Ｂ  光通信ノード、６１ｂ、６１ａ  入力端子、６２ａ  ＭＵＸ部、６２ｂ  ＤＥＭＵＸ部、６３ａ、６３ｂ  光スイッチ、６４ａ、６４ｂ  １０Ｇトランスポンダ（低速トランスポンダ）、６５ａ、６５ｂ  ４０Ｇトランスポンダ（高速トランスポンダ）、６６ａ、６６ｂ  出力端子、６７ａ、６７ｂ  補償制御部、６８  光ファイバ伝送路、Ｔａ、Ｔｂ  一定時間間隔。
【図１】
0005383455.tif 000002
【図２】
0005383455.tif 000003
【図３】
0005383455.tif 000004
【図４】
0005383455.tif 000005
【図５】
0005383455.tif 000006
【図６】
0005383455.tif 000007